(57)【要約】      （修正有）【課題】折り畳み式の踏台において、登り降りにおいて極めて安定であると共に、踏み台作業中においても姿勢の安定する踏み台を提供する。【解決手段】折り畳み式踏台１０は、２枚の側板２１、２２と２枚の横板３１、３２の上に天板４１、４２が載置されると共に横板３１、３２と天板４１、４２とが中央で分割され、その繋ぎ目の角部及び分割された中央の折り目に沿ってヒンジ４５が形成され、ヒンジ４５によって折り畳み自在に形成された踏台１０において、天板裏側で、横板３１、３２の上端で天板４１、４２を支える支持凸部に対向する位置に係止片を配設すると共に、天板裏側で支持凸部と直交状に隣接する位置に、２本の凸状の係止凸条を天板４１、４２の長手方向に平行させて形成し、横板３１、３２の支持凸部の高さを、分割された左右の天板４１、４２が中央のヒンジ４５に向けて沈み込む姿勢を保つ寸法とした。【選択図】図１
2018040204.tif 000002
【特許請求の範囲】
【請求項１】
２枚の側板と２枚の横板の上に天板が載置されると共に該横板と天板とが中央で分割され、その繋ぎ目の角部及び分割された中央の折り目に沿ってヒンジが形成され、該ヒンジによって折り畳み自在に形成された踏台において、
天板裏側で、横板の上端で天板を支える支持凸部に対向する位置に係止片を配設すると共に、同天板裏側で該支持凸部と直交状に隣接する位置に、２本の係止凸条を天板の長手方向に平行させて形成し、
該横板の支持凸部の高さを、分割された左右の天板が中央のヒンジに向けて沈み込む姿勢を保つ寸法としたことを特徴とする折り畳み式踏台。
【請求項２】
請求項１記載の係止凸条を、分割された左右の天板の各ほぼ中央部に配したことを特徴とする折り畳み式踏台。
【請求項３】
請求項１、２記載の係止片と係止凸条とを、若干離して形成したことを特徴とする折り畳み式踏台。
【発明の詳細な説明】
【技術分野】
【０００１】
本発明は、２枚の側板と２枚の横板の上に天板が載置され、該横板と天板とが中央で分割され、その繋ぎ目の角部及び中央の折り目に沿って形成されたヒンジによって折り畳み自在に形成された踏台に関する。
【背景技術】
【０００２】
上記踏み台にあって、その天板部に登ろうとするとき、何も持たない身体の軽いときには、そのまま台の上に足を載せて立ち上がってもほとんど問題は起こらない。
しかし、重い荷物等を持って登ろうとするときには、先ず台の天板隅の角部に片足を載せ、次いで、片方の足を立ち上げて台の天板の中央部を踏み込もうとする仕草をすることが多々ある。
このとき、上記踏み台の隅角部に載せた足を軸として他方の上に向けて足を離した瞬間に、その軸足部がぐらついてしまい、姿勢が極めて不安定になってしまうことを多く経験する。
これは、この折り畳み式踏み台が、上述の通り、ヒンジを介して折り畳み自在とする構造であり、そのヒンジ部には多少の緩みが必要であるところ、身体が軽い場合には良いが荷物等を持って負荷が大きくなると、この緩みが左右への揺れを招いてしまうためと考えられる。
そこで、本発明は、この左右の揺れに基づく踏み台に登る際の不安定さを解消しようとするものである。
尚、この折り畳み式踏台には、特許文献１及び特許文献２が存在するが、いずれも斯かる姿勢の不安定さを解消しようとするものではない。
【先行技術文献】
【特許文献】
【０００３】
【特許文献１】特開２０１５−１３９５５３号公報
【特許文献２】実用新案登録第３１５９７０２号公報
【発明の概要】
【発明が解決しようとする課題】
【０００４】
本発明は上記実情に鑑みてなされたもので、以下の構成により、重い荷物等を持って踏み台に登ろうとした場合にも踏み台のぐらつきはなく、且つ、天板に載った後にも、極めて安定な姿勢を保つことのできる折り畳み式踏台を提供しようとするものである。  
【課題を解決するための手段】
【０００５】
本発明折り畳み式踏台は、２枚の側板と２枚の横板の上に天板が載置されると共に該横板と天板とが中央で分割され、その繋ぎ目の角部及び分割された中央の折り目に沿ってヒンジが形成され、該ヒンジによって折り畳み自在に形成された踏台において、天板裏側で、横板の上端で天板を支える支持凸部に対向する位置に係止片を配設すると共に、同天板裏側で該支持凸部と直交状に隣接する位置に、２本の係止凸条を天板の長手方向に平行させて形成し、該横板の支持凸部の高さを、分割された左右の天板が中央のヒンジに向けて沈み込む姿勢を保つ寸法としたことを特徴とする。
【０００６】
請求項２に記載の折り畳み式踏台は、係止凸条を、分割された左右の天板の各ほぼ中央部に配したことを特徴とする。
【０００７】
請求項３に記載の折り畳み式踏台は、係止片と係止凸条とを、若干離して形成したことを特徴とする。
【発明の効果】
【０００８】
本発明折り畳み式踏台は、展開した踏み台に重い荷物等を持って登ろうとヒンジと平行する角部に足を掛けて登っても、横板の上端で天板を支える支持凸部とこれに直交する状態に隣接された係止凸条とが交差し合い、生じる負荷に対抗し、ズレや揺れを起こさせることなく、安定的に登ることができる。
一方、踏み台に登った後に両足で立った際には、横板の支持凸部の高さ寸法により、分割された左右の天板が中央のヒンジに向けて沈み込む姿勢が維持され、つまり、天板に載った足裏の中央部が若干沈む形態となり、人間の立ち姿勢が前後に傾斜することなく、真っ直ぐな姿勢を維持できる。
【０００９】
請求項２に記載の折り畳み式踏台にあっては、係止凸条を、分割された左右の天板の各ほぼ中央部に配したことで、負荷の掛かった際の天板の物理的強度を高めることができる。
【００１０】
請求項３に記載の折り畳み式踏台にあっては、係止片と係止凸条とを、若干離して形成したことで、踏み台の折り畳み及び展開の操作が容易となる。
【図面の簡単な説明】
【００１１】
【図１】全体斜視図。
【図２】天板の裏面を表す一部拡大底面図。
【図３】支持凸部と係止凸条の係合状態を示す一部拡大側面図。
【図４】天板の沈み込み状態を示す一部拡大側面図。
【図５】折り畳み途中での一部拡大側面図。
【発明を実施するための最良の形態】
【００１２】
本発明折り畳み式踏台は、２枚の側板と２枚の横板の上に天板が載置されると共に該横板と天板とが中央で分割され、その繋ぎ目の角部及び分割された中央の折り目に沿ってヒンジが形成され、該ヒンジによって折り畳み自在に形成される。
【００１３】
その詳細は、図１に示す如くで、２枚の側板は、立脚方向に並ぶ左側板２１と右側板２２との側板２０で構成される。その上端の隅角部には、後述する天板４０の左天板４１及び右天板４２との間に、横ヒンジ２３ａ、２３ｂが形成される。又、後述する横板３０との繋ぎとなる隅角には、縦ヒンジ２４ａ、２４ｂ、２４ｃ、２４ｄが形成される。
【００１４】
２枚の横板は、上記同様立脚方向に並ぶ左横板３１と右横板３２との横板３０で構成される。
その左横板３１及び右横板３２は、中央ヒンジ３５ａ、３５ｂを軸として左右に分割される。そして、分割された左横板３１の左右の上端部には、天板と接してこれを支える支持凸部３３ａ、３３ｂが、右横板３２の上端部には、同様の支持凸部３４ａ、３４ｂが配設される。
【００１５】
上記側板２０と横板３０の上に載置される天板４０は、横板３０と同様中央で２分割され、左天板４１と右天板４２とで構成される。その真ん中には一方に把手用の取手枠部４３が配設され、他方にそれと嵌合する嵌合凹部４４が配設される。そして、その取手枠部４３と嵌合凹部４４とを挟んで、中央ヒンジ４５が形成される。
該天板４０の裏面には、横板の上端で天板を支える支持凸部３３ａ、３３ｂ、３４ａ、３５ｂに対向する位置に左係止片４６ａ、４６ｂ及び右係止片４７ａ、４７ｂを配設する。
即ち、図２及び図３示す如く、上記支持凸部３３ａ、３３ｂ、３４ａ、３５ｂに対し、直角方向に向かい、折り畳み踏台が一旦展開されて踏み台が形成されたとき、その後にヒンジの作用によって再び折り畳まれようとする力が働いた場合、これを防いで、安定的に踏み台の展開された形を維持する為のものである。
【００１６】
さて、上記折り畳み式踏台にあって、本発明では、図４及び図５に示す如く、天板裏側で、横板３０の上端で天板４０を支える支持凸部３３ａ、３３ｂ、３４ａ、３４ｂと直交状に隣接する位置に、２本の凸状の左係止凸条４８，右係止凸条４９を天板の長手方向に平行させて形成する。
支持凸部３３ａ、３３ｂ、３４ａ、３４ｂと直交状に隣接するとは、支持凸部３３ａ、３３ｂ、３４ａ、３４ｂが横板３０の上端に配されるのに対し、係止凸条４８、４９は、天板４０の裏側から延設されるもので、例えば支持凸部３３ａと隣接する係止凸条４８にあっては、該支持凸部３３ａの外側の立壁部に軽く接触する程度の近接位置とする。且つ、該支持凸部３３ａ、３３ｂ、３４ａ、３４ｂが横板３０と同一方向に配設されるのに対し、この支持凸部とは直交方向に接するものとする。
凸状とは、支持凸部と接してこれと対立する関係をいい、具体的には、２ｍｍの厚みで、高さ１１ｍｍ程度の凸片を指す。これが天板の長手方向に平行する方向で、筋状に伸びた状態となる。
【００１７】
該係止凸条の配設位置は、支持凸部の内側、外側を問わないが、左係止凸条４８及び右係止凸条４９を分割された左天板４１及び右天板４２の各ほぼ中央部に配すると、天板上に人が載った際に重い荷物等で大きな負荷の掛かった場合にも、天板の長手方向に沿ってその物理的強度を高めることができる。
【００１８】
更に、上記横板３０の支持凸部３３ａ、３３ｂ、３４ａ、３５ｂの高さを、分割された左天板４１と右天板４２とが、中央ヒンジ４５に向けて沈み込む姿勢を保つ寸法とする。
即ち、図４に示す如く、天板４０が中央ヒンジ４５を介して左右に分割されたとき、その左右の天板４１，４２相互のなす角度は、横板３０の支持凸部３３ａ、３３ｂ、３４ａ、３５ｂの高さによって決定される。
中央ヒンジ４５を中心軸としたとき、そこから左右に伸びる形態をとる左天板４１と右天板４２は、互いが交差して一定の角度で向き合うこととなり、その角度は中央ヒンジを軸として左右の支持凸部が支える高さによって定まることになる。
そして、従来この支持凸部の高さは、中央ヒンジ４５を頂点とした若干の山型となるよう形成されている。
ここにあって、本発明は、該横板の支持凸部の高さを、分割された左右の天板が中央のヒンジに向けて沈み込む姿勢を保つ寸法とする。
つまり、横板３０の支持凸部３３ａ、３３ｂ、３４ａ、３５ｂの高さを低く、具体的には、例えば９ｍｍ程度の高さとする。そして、天板４０にとって、左右の横ヒンジ２３ａ，２３ｂと中央ヒンジ４５とで形成される３点による角度構成が、若干の谷型となるように形成する。
【００１９】
以下に本発明踏み台の作用及び効果を説明する。
先ず、本発明折り畳み式踏台にあっては、図１に示す如くの踏み台１０の、天板４０の取手枠部４３を持って上方へ持ち上げると、天板４０の中央ヒンジ４５を中心軸として左天板４１及び右天板４２が平行する横ヒンジ２３ａ、２３ｂを軸として二つ折りに折り畳まれる方向に回動する。連れて、中央縦ヒンジ３５ａ、３５ｂを中心軸として横板３０の左横板３１と右横板３２が平行する縦ヒンジ２４ａ、２４ｂ及び２４ｃ、２４ｄを軸に内側へ折り畳まれる方向に回動する。斯くして、展開状態の踏み台１０が２枚の板状に折り畳まれる。
展開するときは、取手枠部４３を降ろして、側板２０の左側板２１，右横板２２及び横板３０の左横板３１、右横板３２の下端部を床面等に付け、側板２０の左側板２１、右側板２２の窓部等を持って左右に開くと、上記とは逆の作用で、それぞれのヒンジを軸として横板３０の左横板３１、右横板３２及び天板４０の左天板４１，右天板４２が回動して、図１及び図３の如き踏み台１０が形成される。
上記作用は従来の折り畳み式踏台と同様である。
【００２０】
次に、斯かる折り畳み式踏台にあって、人が重い荷物等を持って展開状態の踏み台に登ろうとするときには、多くは、一旦側板２０と天板４０との堺界部となる横ヒンジ２３ａ若しくは２３ｂの箇所に靴底を当てて、次いで、そこを軸足として他方の足を持ち上げて、全体の身体を踏み台の上に載せようとする。
しかし、このとき、図４に示す如く、その登ろうとする負荷圧（矢印）は、側板２０と横板３０境界の縦ヒンジ２４ａ、２４ｂの上端部と、横ヒンジ２３ａ、２３ｂとの４点の間に形成される台形部の上角部を矢印方向に押圧することになる。すると、その台形部における上角からの押圧力は、側板２０が合成樹脂によって形成される可撓性及び横ヒンジ２３ａ、２３ｂによる回動性等によって、台形を若干歪ませて、天板４０を押圧方向にズレさせるように作用する。
このズレは、若干であったとしても、片足立ちの軸足を揺らすこととなり、重い荷物等をもった人には、不安定さをもたらすことになり、転倒等の重大な事故を招く虞が生じる。
【００２１】
しかし、本発明折り畳み式踏台にあっては、図２に示す如く、天板裏側で、横板３０の上端で天板４０を支える支持凸部３３ａ、３３ｂ、３４ａ、３５ｂと直交状に隣接する位置に、２本の凸状の左係止凸条４８，右係止凸条４９を天板の長手方向に平行させて形成してある。
この結果、上角部に足を掛けて登っても、左横板３１の上端で天板を支える支持凸部３３ａ、３３ｂとこれに直交する状態に隣接された左係止凸条４８とが交差し合い、生じる負荷に対抗する。つまり、上記の如く、上角部に足を掛けて登った場合、左天板４１がズレる方向に力が働いても、天板裏側に設けた左係止凸条４８が、左横板３１の上端に形成される左係止凸条４８と直交状態に交差し合い、この動きを封鎖してしまう。
【００２２】
この作用は、同時に右横板３２の支持凸部３４ａ、３４ｂと右係止凸条４９との間にも惹起され、且つ、左横板３１と右横板３２とは連続されているので、上記左横板３１に生じたズレの作用に対して、右横板３２の支持凸部３４ａ、３４ｂと右係止凸条４９もこれを封じ込めるように働き、両者は互いに協奏した働きを為す。
よって、上角部に足を掛けて登っても、天板４０にズレや揺れを起こさせる虞が解消され、転倒等の事故をなくして極めて安定的に登ることができる。
【００２３】
尚、ヒンジと直交する方向から登ろうとする際には、横ヒンジ２３ａ、２３ｂが負荷が作用する方向には回動しないので、上記ズレによる問題は生じない。
【００２４】
さて、上記の如く、天板上に安定的に登ることができたとしても、重い荷物等を持った場合には、次なる心配が生じる。
即ち、従来の折り畳み式踏台にあっては、折り畳み式の左天板４１と右天板４２とが左右の横ヒンジ２３ａ、２３ｂを基軸として中央ヒンジ４５で折り返され、つまり、該中央ヒンジ４５を頂点とした山形の三角形を形成している。
そして、ここに足を載せると、荷物等を持ってもし前側に傾いた場合には、その傾斜壁により一層前方向に傾くことになり、逆に、後ろに傾いた場合には、一層後ろに傾いてしまう。つまり、中央を頂点とした山形の三角形によっては、前方又は後方に傾きが生じた場合、足に踏ん張りを効かせることができず、そのまま前又は後方に姿勢を崩してしまう危険が伴うこととなる。
【００２５】
これに対し、本発明踏台では、図４に示す如く、上記横板３０の支持凸部３３ａ、３３ｂ、３４ａ、３５ｂの高さを、分割された左天板４１と右天板４２とが、中央ヒンジ４５に向けて沈み込む姿勢を保つ寸法とし、天板４０にとって、左右の横ヒンジ２３ａ，２３ｂと中央ヒンジ４５とで形成される３点による角度構成が、若干の谷型となるように形成してある。
この結果、天板４０に足を載せたとき、もし前方に傾いた場合には、足指の付いた足前方部が沈み込んだ中央部に対し登り坂となる傾斜を形成するものとなり、その登り坂に対して足を踏み込むことで、前傾きの姿勢を矯正することができる。後ろ側に傾いた場合には、後ろ側となる足の後方部は下り坂を形成するものとなり、後方の踵部に力を入れると、下り坂が逆方向に導いて、後傾きの姿勢を矯正することができるものとなる。ベクトル的にも、山型が姿勢を外側に傾けてしまうのに対し、谷型は姿勢を内側とすることができる。
従って、踏台上での立ち姿勢が、重い荷物等を持った場合にも、前後に傾斜することなく、安定的で真っ直ぐな姿勢を維持できるものとなる。
【００２６】
左係止片４６ａ、４６ｂ及び右係止片４７ａ、４７ｂと左係止凸条４８及び右係止凸条４９とを若干離して形成すると、踏み台の折り畳み及び展開の操作が容易となる。
【符号の説明】
【００２７】
１０  踏み台
２０  側板
２１  左側板
２２  右側板
２３ａ、２３ｂ  横ヒンジ
２４ａ、２４ｂ、２４ｃ、２４ｄ  縦ヒンジ
３０  横板
３１  左横板
３２  右横板
３３ａ、３３ｂ  支持凸部
３４ａ、３４ｂ  支持凸部
３５ａ、３５ｂ  中央縦ヒンジ
４０  天板
４１  左天板
４２  右天板
４５  中央ヒンジ
４６ａ、４６ｂ  左係止片
４７ａ、４７ｂ  右係止片
４８  左係止凸条
４９  右係止凸条
【図１】
2018040204.tif 000003
【図２】
2018040204.tif 000004
【図３】
2018040204.tif 000005
【図４】
2018040204.tif 000006
【図５】
2018040204.tif 000007